(57)【要約】【課題】漏洩電磁を少なくした温水洗浄便座装置を提供すること。【解決手段】温水洗浄便座装置の本体に設けた制御基板２と、少なくとも温水加熱ヒーター６と温水加熱安全手段７とを連結すべく結線された電線は制御基板２を起点として温水加熱ヒーター６および温水加熱安全手段７に連結する電線をそれぞれ往路と復路の電線が近傍に配するようにしたものである。これによって、反対方向の電流により電磁波の漏れをキャンセルして本体外への電磁波の漏れを少なくするようにしたものである。【選択図】図１
2005213734.tif 000002
【特許請求の範囲】
【請求項１】
温水洗浄便座装置の本体に設けた制御基板と、温水加熱ヒーターと温水加熱安全手段とを連結すべく結線された電線とを備え、前記電線は、制御基板を起点として温水加熱ヒーターおよび温水加熱安全手段に連結するそれぞれ往路と復路の電線を有し、前記往路の電線と復路の電線とを近傍に配した温水洗浄便座装置。
【請求項２】
制御基板との接続に用いるコネクター端子は、温水加熱ヒーター両端及び温水加熱安全手段の両端からの電線を接続した請求項１項に記載の温水洗浄便座装置。
【請求項３】
温水加熱ヒーターの端子を本体前面以外のところに配置した請求項１または２に記載の温水洗浄便座装置。
【発明の詳細な説明】
【技術分野】
【０００１】
本発明は、温水洗浄便座装置の本体内の電線の配置に関するものである。
【背景技術】
【０００２】
近年、人体に有害なものを排出しないような製品開発が行われているが、電磁波も同様に体に有害である可能性を持っていることから、国際的な規制を行う傾向にある。
【０００３】
一方、トイレにおける温水洗浄便座装置は、従来、図３に示すように、本体内には温水タンク１、制御基板２、ノズル３、乾燥ユニット４、脱臭ユニット５が配置されている。温水タンク１の下部には温水加熱ヒーター６が、上部には温水加熱安全手段７（ここではフロートスイッチ）が設けられ、制御基板２にあるコネクター部８と電気的に接続してある。温水加熱ヒーター回路は制御基板２のコネクター８から電線Ａが温水加熱ヒーター６に行き、温水加熱ヒーター６を経由して電線Ｂにより温水加熱安全手段７に接続されている。温水加熱安全手段７のもう一方の端子から電線Ｃによりコネクター８につながり、回路を形成しており、機器の中を電流が流れるという点では、電磁波の発生の可能性があるものの、これまで、電磁波に対する対策や発明はなされておらず、よってかかる発明に対する開示すべき先行技術文献はない。
【発明の開示】
【発明が解決しようとする課題】
【０００４】
しかしながら、上記従来の温水洗浄便座装置の配線では線Ａの周りに電磁波がもれ、同様に線Ｂ、線Ｃにおいても電磁波がもれ、このような形の場合５０〜１００μＴ（テスラー）の電磁波が外部に漏れるようになっていた。
【０００５】
本発明は上記従来の課題を解決するもので、温水洗浄便座装置の本体内の電線からの電磁波の発生をすくなくして電磁波の本体外への漏れを極小にした温水洗浄便座装置を提供することを目的とする。
【課題を解決するための手段】
【０００６】
前記従来の課題を解決するために、本発明の温水洗浄便座装置は、温水洗浄便座装置の本体に設けた制御基板と、少なくとも温水加熱ヒーターと温水加熱安全手段とを連結すべく結線された電線は制御基板を起点として温水加熱ヒーターおよび温水加熱安全手段に連結する電線をそれぞれ往路と復路の電線が近傍に配するようにしたものである。
【０００７】
これによって、反対方向の電流により電磁波の強度を相殺し、電磁波の漏れをキャンセルして本体外への電磁波の漏れを少なくするようにしたものである。
【発明の効果】
【０００８】
本発明の温水洗浄便座装置は、制御基板を起点として温水加熱ヒーターおよび温水加熱安全手段に連結する電線をそれぞれ往路と復路の電線が近傍に配するようにして大電流が流れる電線の磁束をキャンセルするようにして本体外へ電磁波がもれないようにできる。
【発明を実施するための最良の形態】
【０００９】
第１の発明は温水洗浄便座装置の本体に設けた制御基板と、温水加熱ヒーターと温水加熱安全手段とを連結すべく結線された電線は制御基板を起点として温水加熱ヒーターおよび温水加熱安全手段に連結する電線をそれぞれ往路と復路の電線が近傍に配するようにしてある。これにより、往路と復路の電線に流れる互いに逆方向の電流により電磁波の強度を相殺し、電磁波の漏れをキャンセルして本体外への電磁波の漏れを少なくするようにできる。
【００１０】
第２の発明は第１の発明に加えて、制御基板との接続に用いるコネクター端子には温水加熱ヒーター両端及び温水加熱安全手段の両端からの電線が接続してある。これにより、端子部分での漏洩電磁波も少なくすることができる。
【００１１】
第３の発明は温水加熱ヒーターの端子を本体前面以外のところに配置してある。これにより、すべての電線を人体に近い前面から離れたところに配置することができるため、たとえ漏洩した電磁波であっても人体に達する距離では減衰していて、漏れ電磁波の影響を低減することができる。
【００１２】
以下、本発明の実施の形態について、図面を参照しながら説明する。なお、この実施の形態によって本発明が限定されるものではない。
【００１３】
（実施の形態１）
図１は、本発明の第１の実施の形態における温水洗浄便座装置の本体内の大電流が流れる温水加熱手段に関係する配線概略図である。
【００１４】
図１において従来の温水洗浄便座装置本体内における配線を示していた。本体内には温水タンク１、制御基板２、ノズル３、乾燥ユニット４、脱臭ユニット５が配置されている。温水タンク１の下部にはＵ字型（図示せず）をした温水加熱ヒーター６挿入され、端子が温水タンク１の側面に設けてある。温水タンク１の上部には温水加熱安全手段７（ここではフロートスイッチ）が設けられ、制御基板２にあるコネクター部８と電気的に接続してある。温水加熱ヒーター回路は制御基板２のコネクター８から電線Ａが温水加熱ヒーター６に行き、温水加熱ヒーター６から電線Ｌは電線Ａと略並行になるように束ねてコネクター８に戻り、電線Ａの隣の端子に接続してある。
【００１５】
次にコネクター８の電線Ｌの隣の端子から電線Ｂを経由して温水加熱安全手段７に接続されている。温水加熱安全手段７のもう一方の端子からは電線Ｍにより電線Ｂと略並行にして束ねられ、コネクター８の電線Ｂの隣の端子に接続され回路を形成する。コネクター８の電線Ｌと電線Ｂの端子に挿入してある部分は制御基板ないで接続して一連の回路を形成して、電線Ａと電線Ｍの間にＡＣ１００Ｖで電流を流すようにしてある。なお、電線Ａおよび電線Ｌの一部が破線で記載しているのは、温水洗浄便座装置本体の裏側を回って配線してあるからである。また電線Ｂおよび電線Ｍもタンク１の後方を通るようにしてある。
【００１６】
以上のように構成された便座装置について、以下その動作、作用を説明する。
【００１７】
制御基板２を起点として電流がコネクター８を介して温水加熱ヒーター回路に流れる場合について順次説明する。コネクター８の電線Ａから流れてくる電流によって電線の周りには磁束が発生する。この磁束は遮るものがない限り空中に拡がり、いわゆる漏洩電磁波となり人体に影響を与えるようになると言われている。
【００１８】
一方、温水加熱ヒーター６から戻ってくる電線Ｌも同様に電線の周りには磁束が発生するが、電線Ａとは反対向きの電流となるため、そして近傍に配してあるため、お互いの電磁波を打ち消しあって、漏洩電磁波は非常に少なくなる。なお、温水加熱ヒーター６はＵ字型になっており、磁束の漏れは少ない形状である。次に、コネクター８の電線Ｂから流れてくる電流によって電線の周りには磁束が発生する。一方温水加熱安全手段７から戻ってくる電線Ｍも同様に電線の周りには磁束が発生するが、電線Ｂとは反対向きの電流となるためお互いの電磁波を打ち消しあって、漏洩電磁波は非常に少なくなる。
【００１９】
従来例での漏洩電磁波が５０〜１００μＴ（テスラー）であるのに対して、０．５〜１μＴくらいまで下がる。
【００２０】
以上のように、本実施例においては電線を往路と復路を平行にして戻すことにより漏洩電磁波を大幅に削減させることができる。
【００２１】
また、コネクター部に戻ってきた電線の端子を接続することにより端子部分での漏洩電磁波も少なくすることができる。
【００２２】
さらに、電線の配線の仕方を本体裏側に配することにより、人体から遠ざけることができるため、人体への影響が少なくなるという効果を有する。
【００２３】
（実施の形態２）
図２は本発明の他の実施形態における温水洗浄便座装置の本体内の大電流が流れる温水加熱手段に関係する配線概略図である。ここで、実施の形態１の中で温水タンクの温水加熱ヒーターの端子を前面以外のところへ配置することにより、すべての電線を人体に近い前面から離れたところに配置することができるため、たとえ漏洩した電磁波であっても人体に達する距離では減衰していて、漏れ電磁波の影響が少ない。
【００２４】
また以上は貯湯式の温水タンクを例にとって説明したが、瞬間式の熱交換器に入力する電力の電気的配線も同様にすることにより、漏洩電磁波の影響を少なくすることができる。
【００２５】
瞬間式の熱交換器の形態をとる棒状シーズヒーターの場合もシーズヒーターに沿って電線を戻す形で配することで電流を反対に向けて磁束を打ち消すようにすることができる。
【産業上の利用可能性】
【００２６】
以上のように、本発明にかかる温水洗浄便座装置は、電線の配線方法で往路復路を設けることと、この二つの電線を平行して束ねることにより漏洩電磁波を少なくさせることができる。
【図面の簡単な説明】
【００２７】
【図１】本発明の実施の形態における温水洗浄便座装置の内部構造図
【図２】本発明の他の実施の形態における温水洗浄便座装置の内部構造図
【図３】従来の便座装置の構成図
【符号の説明】
【００２８】
２  制御基板
６  温水加熱ヒーター
７  温水加熱安全手段
８  コネクター
【図１】
2005213734.tif 000003
【図２】
2005213734.tif 000004
【図３】
2005213734.tif 000005